(57)【特許請求の範囲】
【請求項１】
竪樋の中間に貯水槽の上部へ接続する分岐管を設け、該分岐管により雨水を貯水槽に貯留する雨水貯水装置において、前記貯水槽をＦＲＰ製の模造石で外装し、該貯水槽の上部に貯水槽内のオーバーフローする水を前記竪樋に戻すオーバーフロー管を配置すると共に、該貯水槽の下部外面に排水用蛇口を設け、かつ貯水槽の下部内部に引出型の道具入れの収納空間を形成したことを特徴とする雨水貯水装置。
【請求項２】
前記貯水槽の表面に複数段の鉢棚を設けたことを特徴とする請求項１に記載の雨水貯水装置。
【発明の詳細な説明】
【０００１】
【発明の属する技術分野】
本発明は、竪樋の中間に貯水槽の上部へ接続する分岐管を設け、該分岐管により雨水を貯水槽に貯留する雨水貯水装置に関するものである。
【０００２】
【従来の技術】
従来，竪樋の中間に貯水槽の上部へ接続する分岐管を設け、該分岐管に連通させて空気抜き管を突設させ、分岐管により雨水を貯水槽に貯留する雨水貯水装置がある（例えば、特許文献１参照。）。
【０００３】
【特許文献１】
実用新案登録第２５９１０８５号公報
【０００４】
【発明が解決しようとする課題】
ところで、上記従来のものでは、貯水槽の装飾がなく貯水槽がむき出しのため見栄えが良くないと共にホース，バケツ等の道具を他の場所から用意するか、貯水槽の側に放置しておくかで道具の整理整頓に問題があった。
【０００５】
本発明は、従来の技術の有するこのような問題点に鑑みてなされたものであり、その目的とするところは、見栄えが良く、貯水槽の中の水の量を確実に調整できると共に、水の有効利用が可能となり、さらに道具箱も兼ねることができる雨水貯水装置を提供しようとするものである。
【０００６】
また、花壇としてより見栄えを良くし、より水の有効利用ができる雨水貯水装置を提供しようとするものである。
【０００７】
【課題を解決するための手段】
上記目的を達成するために、本発明における雨水貯水装置は、貯水槽をＦＲＰ製の模造石で外装し、該貯水槽の上部に貯水槽内のオーバーフローする水を竪樋に戻すオーバーフロー管を配置すると共に、該貯水槽の下部に排水用蛇口及び道具入れを設けたことを特徴とするものである。
【０００８】
また、貯水槽の表面に複数段の鉢棚を設けたことを特徴とするものである。
【０００９】
【発明の実施の形態】
図１ないし図４は本発明の一の実施例に関するものであり、図１は本発明に係る雨水貯水装置の設置説明図、図２は貯水槽の正面図、図３は貯水槽の裏面図、図４は雨水貯水装置の要部側面説明図である。
【００１０】
図において、１は雨水貯水装置であり、該雨水貯水装置１は貯水槽２と、竪樋３の中間部から貯水槽２の上部へ接続する分岐管４と、貯水槽２の上部から貯水槽内のオーバーフローする水を竪樋３に戻すオーバーフロー管５とから構成されている。
【００１１】
前記貯水槽２は、ＦＲＰ製で表面が例えば黒御影石，白御影石等のような模造石に外装されている。
そして、貯水槽２の上部裏面側には、前記分岐管４とオーバーフロー管５とがそれぞれ接続される接続口６，７が形成されている。
【００１２】
また、貯水槽２の下部には、引出型の道具入れ８が形成され、該道具入れ８には例えばホース，バケツ，雑巾，如雨露等が収納され、必要に応じてこれらを取り出して使用することが可能となる。
さらに、該道具入れ８の奥部には貯水槽２の下部裏面側の排出口９に接続される排出路１０が形成され、道具入れ８の上部近傍で貯水槽２の側面には蛇口１１が設けられている。
なお、前記排出口９は例えば貯水槽２内の水を入れ替えるような場合に開口されるものである。
【００１３】
貯水槽２の容器１２は、道具入れ８の上部から貯水槽２の外形に形どられ貯水槽２の内部に形成されている。本実施例においては一体で貯水槽２を形成しているが、容器１２内の掃除の為に貯水槽２の中間部位で分割したり、貯水槽２の最上部を蓋型にすることも可能である。
【００１４】
前記分岐管４は、竪樋３の中間部から雨水取り入れ接続具１３に接続するホース１４と、該雨水取り入れ接続具１３から前記貯水槽２の接続口６に挿着される接続管１５とで形成され、前記雨水取り入れ接続具１３の中間部位には雨水の防塵網１６が設けられている。
【００１５】
前記オーバーフロー管５は、前記分岐管４と略同じ高さの位置に、貯水槽２の接続口７に挿着される接続管１７と竪樋３に水を戻すホース１８とで形成されている。
【００１６】
以上のような構成からなる雨水貯水装置１において、家屋の竪樋３の側に該雨水貯水装置１を設置する場合に前記分岐管４のホース１４と、オーバーフロー管５のホース１８を竪樋３に接続するだけで簡単，容易に設置することができ、貯水槽２が装飾的な外形をしているので見栄えの良いものとなる。
そして、竪樋３内を流下する雨水を分岐管４により貯水槽２内の容器１２に取り入れ、水が分岐管４の接続口６の高さまで貯留すると、分岐管４の接続口６と同高さのオーバーフロー管５により水は竪樋３に戻される。また、蛇口１１により容器１２に貯留された水を容易に出すことができることから、容器１２の中の水の量を確実に調整することができる。
【００１７】
さらに、貯留された水の有効利用をする為に前記道具入れ８に収納されているホース，バケツ等を取り出してこれらを用いて水を撒き、使用後にまた道具入れ８に戻せば道具の整理整頓が確実にできるものとなる。
【００１８】
図５は本発明の他の実施例に関するものであり、雨水貯水装置の設置説明図である。
図において、１９は花鉢２０を載せる鉢棚で、該鉢棚１９は前記貯水槽２の正面の表面に複数段（例えば３段）設置され、他の構成要件は先の実施例と実質的に同一であるので同一符号を付してその説明を省略する。
【００１９】
以上のような構成からなる雨水貯水装置１においては、貯水槽２に多数の花鉢２０，２０…を載置して花壇とすることができることから雨水貯水装置１はより見栄えが良いものになると共に、花に水を与える時に前記道具入れ８より如雨露を取り出し、蛇口１１から容易に水を汲み取ることが可能となり、より水を有効利用することができるものとなる。
【００２０】
【発明の効果】
本発明の雨水貯水装置によれば、貯水槽をＦＲＰ製の模造石で外装し、該貯水槽の上部に貯水槽内のオーバーフローする水を竪樋に戻すオーバーフロー管を配置すると共に、該貯水槽の下部に排水用蛇口及び道具入れを設けたので、見栄えが良く、貯水槽の中の水の量が確実に調整できると共に、水の有効利用が可能となり、さらに道具箱も兼ねることができる雨水貯水装置となる。
【００２１】
また、貯水槽の表面に複数段の鉢棚を設けたので、花壇としてより見栄えを良くし、より水の有効利用ができる雨水貯水装置となる。
【図面の簡単な説明】
【図１】図１は本発明の一の実施例に係る雨水貯水装置の設置説明図である。
【図２】図２は貯水槽の正面図である。
【図３】図３は貯水槽の裏面図である。
【図４】図４は雨水貯水装置の要部側面説明図である。
【図５】図５は本発明の他の実施例に係る雨水貯水装置の設置説明図である。
【符号の説明】
１              雨水貯水装置
２              貯水槽
３              竪樋
４              分岐管
５              オーバーフロー管
８              道具入れ
１１            蛇口
１９            鉢棚
【図１】
0003687913.tif 000002
【図２】
0003687913.tif 000003
【図３】
0003687913.tif 000004
【図４】
0003687913.tif 000005
【図５】
0003687913.tif 000006